(57)【特許請求の範囲】
【請求項１】
立上部材の上端面に笠木が取付具で取り付けられた笠木の取付構造であって、
前記取付具は立上部材の上端面に沿う形状の本体と、この本体の両側縁部から外側斜め下方に延設された係止片と、この両側の係止片の少なくともどちらか一方の先端部内側に設けられた差込部とからなる小片であり、
前記差込部は、係止片の内側方向に突出した水平片と、この水平片の先端から下方向に突出した垂直片とを備えて、棒状体の先端が差込可能な形状であり、
この取付具の上側面には金属製のバネ片が取り付けられるとともに、ゴム製シーラーが貼り付けられ、
前記笠木は立上部材の上端面を覆う断面コ字形の長尺体で、この断面コ字形の両側フランジの内側に段状に突出した段部が設けられ、
立上部材の上端面の所々に取付具が取り付けられ、この所々に取り付けられた取付具に笠木が架け渡され、取付具の係止片の先端を笠木の段部に引っ掛けて笠木が立上部材に取り付けられていることを特徴とする笠木の取付構造。
【請求項２】
立上部材の上端面に笠木が取付具で取り付けられた笠木の取付構造であって、
前記取付具は立上部材の上端面に沿う形状の本体と、この本体の両側縁部から外側斜め下方に延設された係止片と、この両側の係止片の少なくともどちらか一方の先端部内側に設けられた差込部とからなる小片であり、
前記差込部は、係止片の内側に下方に開口した凹部を備えて、この凹部の中に棒状体の先端が差込可能な形状であり、
この取付具の上側面には金属製のバネ片が取り付けられるとともに、ゴム製シーラーが貼り付けられ、
前記笠木は立上部材の上端面を覆う断面コ字形の長尺体で、この断面コ字形の両側フランジの内側に段状に突出した段部が設けられ、
立上部材の上端面の所々に取付具が取り付けられ、この所々に取り付けられた取付具に笠木が架け渡され、取付具の係止片の先端を笠木の段部に引っ掛けて笠木が立上部材に取り付けられていることを特徴とする笠木の取付構造。
【請求項３】
請求項１または２に記載の笠木の取付構造において、
前記笠木の裏面には２条の凹溝が設けられていることを特徴とする笠木の取付構造。
【発明の詳細な説明】
【０００１】
【発明の属する技術分野】
本発明は、バルコニーの手摺り、パラペット等の立上部材の上端面に笠木が取り付けられた笠木の取付構造に関する。
【０００２】
【従来の技術】
バルコニーの手摺り、パラペット等の立上部材の上端面に笠木が取付金具で取り付けられた笠木の取付構造は従来種々知られている。
例えば、特公平４−７８７７３号公報や特開平１１−１３１３１号公報には、取付金具がバルコニーの立上部材の上端面に沿う形状の本体と、この本体の両側縁部に外側斜め下方に延設された係止片とからなるものであり、バルコニー笠木が立上部材の上端面を覆う断面コ字形の長尺体であり、この断面コ字形の両側フランジの内側に段状に突出した段部が設けられていて、取付金具が立上部材の上端面の所々に取り付けられ、この取付金具にバルコニー笠木が架け渡され、バルコニー笠木の段部に取付金具の係止片の先端を引っ掛けて、バルコニー笠木が立上部材に取り付けられた構造をしている笠木の取付構造が記載されている。
【０００３】
この取付構造は、取付金具を立上部材の上端面の所々に取り付け、この取付金具にバルコニー笠木を架け渡し、このバルコニー笠木を取付金具に押し付ける。すると、バルコニー笠木の両側縁部の先端部が取付金具の外側斜め下方に開いている両側縁部を内側方向に押しながらバルコニー笠木が進み、バルコニー笠木の両側縁部の先端部に設けられた段部が取付金具の係止片の先端を通過すると、取付金具の係止片の弾性によって元の状態に戻ろうとして段部に沿って拡がり、取付金具の係止片の先端がバルコニー笠木の段部に引っ掛かってバルコニー笠木が反対方向に戻らなくなる。その結果、バルコニー笠木が立上部材に強固に取り付けられるのである。
このように、上記笠木の取付構造では、バルコニー笠木を取付金具に押し付けるだけでバルコニー笠木を立上部材に取り付けることができるので、施工が簡単で好ましい構造である。
【０００４】
【発明が解決しようとする課題】
一般に、バルコニー笠木等の笠木を手摺り等の立上部材に取り付ける際に、取付位置が若干ずれたり、誤って色等の異なった別の笠木を取り付けたとき等では、笠木を取り外す必要がある。
又、笠木が劣化し変色したり破損したり、あるいは、飽いたりしたとき等では、別の笠木に取り換えたいときがある。
【０００５】
しかし、上記笠木の取付構造では、一度、笠木を取り付けると、バルコニー笠木の段部に取付金具の先端が引っ掛かっているので、取り外しができない。
従って、笠木を破壊しないと、施工時の位置のずれを矯正したり、別の笠木に取り換えることができないという問題がある。
そこで、本発明の目的は、笠木を簡単に取り外すことのできる笠木の取付構造を提供することである。
【０００６】
【課題を解決するための手段】
本発明は上記目的を達成するためになしたものであって、立上部材の上端面に笠木が取付具で取り付けられた笠木の取付構造であって、前記取付具は立上部材の上端面に沿う形状の本体と、この本体の両側縁部から外側斜め下方に延設された係止片と、この両側の係止片の少なくともどちらか一方の先端部内側に設けられた差込部とからなる小片であり、前記差込部は棒状体の先端が差込可能な形状であり、前記笠木は立上部材の上端面を覆う断面コ字形の長尺体で、この断面コ字形の両側フランジの内側に段状に突出した段部が設けられ、立上部材の上端面の所々に取付具が取り付けられ、この所々に取り付けられた取付具に笠木が架け渡され、取付具の係止片の先端を笠木の段部に引っ掛けて笠木が立上部材に取り付けられているものである。
【０００７】
本発明における差込部は棒状体の先端が差込可能な形状である。
かかる差込部の形状としては種々ある。例えば、係止片の先端部内側に内側方向に突出した水平片と、この水平片の先端から下方方向に突出した垂直片とからなり、この垂直片と係止片との間にドライバー等の先端が「−」形の棒状体の先端を差し込める形状にしたものでもよいし、係止片の内側に下方に開口した凹部を設けて、この凹部の中に先端が「−」形の棒状体の先端を差し込める形状にしたものでもよい。
又、取付具の材質としては、鋼やアルミニウム等の金属でもよいし、合成樹脂でもよい。その他適宜の材質でよい。
尚、差込部は両側の係止片の少なくともどちらか一方の先端部内側に設けられればよいが、もちろん、両側の係止片の先端部内側にそれぞれ設けても差し支えない。
【０００８】
（作  用）
本発明の笠木の取付構造になすには、従来と同じように、取付具を立上部材の上端面の所々に取り付ける。
すると、取付具は立上部材の上端面に沿う形状の本体と、この本体の両側縁部から外側斜め下方に延設された係止片と、この両側の係止片のどちらか一方の先端部内側に設けられた差込部とからなる小片であるから、取付具の係止片が立上部材の両側に外側斜め下方に拡がった状態に取り付けられる。
【０００９】
次に、この取付具を笠木を架け渡し、この笠木を取付具に押し付ける。
すると、笠木は立上部材の上端面を覆う断面コ字形の長尺体で、この断面コ字形の両側フランジの内側に段状に突出した段部が設けられているから、笠木の両側フランジが立上部材の両側に外側斜め下方に拡がった状態に取り付けられている取付具の係止片を内側方向に押しながら、笠木は進む。そして、フランジの段部が係止片の先端を通過すると、弾性により，係止片が段部に沿って外側に拡がる。
このようになると、係止片の先端がフランジの段部に引っ掛かって笠木が反対方向に戻らなくなり、請求項１記載のように、取付具の先端を笠木の段部に引っ掛けて笠木が立上部材に取り付けられた構造となる。
【００１０】
そして、施工時の笠木の取付位置の矯正や別の笠木に取り換えるとき等に笠木を取り外すときには、立上部材の両側の外側斜め下方に開いている取付具の係止片の内側から「−」形のドライバー等のように先端が「−」形になっている棒状体を差し込んで、係止片の先端部内側に設けられた差込部に、棒状体の先端部を挿入し、内側方向に押す。
【００１１】
すると、差込部は棒状体の先端が差込可能な形状をしているから、棒状体の先端が差込部の中に差し込まれた状態で内側方向に移動し、その結果、係止片の先端が笠木の段部に沿って移動して係止片の先端が段部から外れる。
このようになると、笠木の段部が取付具に引っ掛かっていないので、簡単に外すことができる。即ち、この取付具が取り付けられている立上部材から笠木を外すことができ、位置を矯正することも取り換えることも簡単にできる。
【００１２】
【発明の実施の形態】
次に、本発明の実施の形態を説明する。
図１〜図４は本発明の笠木の取付構造をバルコニー笠木の取付構造に適用した一実施例を示すもので、図１は手摺り本体にバルコニー笠木が取り付けられたバルコニー笠木の取付構造を示す断面図、図２（イ）は取付具の側面図、（ロ）は取付具の平面図、図３は笠木の側面図、図４は手摺り本体に取付具を取り付けている状態を示す説明図である。
【００１３】
図１〜図４において、１はバルコニーの周縁部に立設された手摺りであり、この手摺り１は立上部材２とバルコニー笠木３と取付具４とからなる。
立上部材２は建物の構造材に取り付けられた金属製の骨格２１と、この骨格２１の両側に取り付けられたモルタル板２２とからなるものであり、骨格２１の上端がほぼ水平に折曲された取付部２１１が設けられていて、この取付部２１１に取付片２３がボルト・ナット２４で取り付けられている。
【００１４】
バルコニー笠木３は立上部材２の上端面を覆う断面コ字形の長尺体で、図３に示すように、この断面コ字形の両側フランジ３１、３１の内側に段状に突出した段部３２が設けられている。尚、中央のウエッブ３３の裏面には２条の凹溝３４が設けられている。
尚、このバルコニー笠木３の材質は適宜でよい。例えば、アルミニウムや硬質熱可塑性樹脂を押出成形したものでもよいし、熱硬化性樹脂を成形したものでもよいし、ステンレスを成形したものでもよい。
【００１５】
取付具４は、図２に示すように、立上部材２の上端面に沿う形状の板状の本体４１と、この本体４１の両側縁部に外側斜め下方に延設された係止片４２、４２と、この係止片４２、４２のどちらか一方の係止片４２の先端部に内側方向に突出した水平片と、この水平片の先端から下方向に突出した垂直片とから構成される鉤形の差込部４３とからなる金属製小片である。尚、この本体４１の上側面には金属製のバネ片４５がリベット４６で取り付けられている。又、長孔からなる取付孔４８が４個設けられている。上面には２条のゴム製のシーラー４７、４７が貼り付けられている。又、上面のほぼ中央にセンターマーク４９が設けられている。
【００１６】
７は立上部材２の上端面を覆うコ字形に成形された金属板の長尺体である水切りであり、この水切り７は立上部材２の上端面に取り付けられて、立上部材２の内部に雨水が入らないようにするものである。
５は合成ゴム（エチレン−プロピレン−ターポリマー（ＥＰＴ））製の被覆材であり、モルタル板２２と水切り７との間に取り付けられて、この部分をシールするものである。
【００１７】
次に、バルコニー手摺りの施工方法を説明する。
建物の構造材に取り付けられた金属製の骨格２１の両側にモルタル板２２を取り付け、このモルタル板２２の上に被覆材５を取り付け、上端の取付部２１１に取付片２３をボルト・ナット２４で取り付けて、立上部材２とする。
立上部材２の上に水切り７を載せ、この上の所々に取付具４を、センターマーク４９を立上部材の中央線に合わせながら載せ、取付具４の取付孔４８を通したビス６を取付片２３に螺入して、立上部材２の上に取付金具４を取り付ける。
【００１８】
すると、取付具４は立上部材２の上端面に沿う形状の本体４１と、この本体４１の両側縁部から外側斜め下方に延設された係止片４２、４２と、この両側の係止片４２、４２のどちらか一方の先端部内側に設けられた差込部４３とからなる金属製小片であるから、取付具４の係止片４２が立上部材２の両側に外側斜め下方に拡がった状態で取り付けられる。
【００１９】
次に、図４に示すように、この所々に取り付けられた取付具４にバルコニー笠木３を架け渡し、このバルコニー笠木３を取付具４に押し付ける。
すると、バルコニー笠木３は立上部材２の上端面を覆う断面コ字形の長尺体で、この断面コ字形の両側フランジ３１、３１の内側には、段状に突出した段部３２が設けられているから、バルコニー笠木３の両側フランジ３１、３１が立上部材２の両側に外側斜め下方に拡がった状態で取り付けられている取付具４の係止片４２を内側に押し縮めながらバルコニー笠木３が進む。
【００２０】
そして、バルコニー笠木３のフランジの内側に設けられている段部３２が取付金４の係止片４２の先端を通過すると、弾性により、係止片４２が段部３２に沿って外側に拡がる。
すると、係止片４２の先端がフランジ３１の段部３２に引っ掛かってバルコニー笠木３が反対方向に戻らなくなる。
このようになると、図１に示すように、バルコニー笠木３は取付具４のバネ片４５で絶えず上方向に押圧され、この押圧されたバルコニー笠木３は段部３２が取付具４の先端に引っ掛かって上方に移動できない。このような状態でバルコニー笠木３が立上部材２に強固に取り付けられる。
このようにして、複数のバルコニー笠木３を次々に立上部材２に取り付ける。
【００２１】
次に、バルコニー笠木３を立上部材２に取り付ける際の取付位置を矯正するときや、誤って色の異なった別のバルコニー笠木３を取り付けたとき、バルコニー笠木３が破損したり飽いたりしたとき等に、バルコニー笠木３を取り外す方法について説明する。
【００２２】
先ず、最初に、立上部材２の両側に外側斜め下方に開いている取付具４の係止片４２の内側から（図１の矢印で示す方向から）「−」形のドライバー等のように先端が「−」形になっている棒状体を差し込んで、係止片４２の先端部内側に設けられた差込部４３の中に、棒状体の−字形の先端部を挿入し、差込部４３を内側方向に押す。
すると、棒状体の先端が差込部４３の中に差し込まれた状態で内側方向に移動し、その結果、係止片４２の先端がバルコニー笠木３の段部３２に沿って移動して先端が段部３２から外れる。
【００２３】
このようになると、バルコニー笠木３が取付具４に引っ掛かっていないので、簡単に外すことができる。即ち、この取付具４が取り付けられている立上部材２から笠木３を取り外すことができる。
このように簡単にバルコニー笠木３が取り外すことができるので、笠木の位置を矯正することも取り換えることも簡単にでき便利である。
【００２４】
【発明の効果】
本発明は、取付具が立上部材の上端面に沿う形状の本体と、この本体の両側縁部から外側斜め下方に延設された係止片と、この両側の係止片の少なくともどちらか一方の先端部内側に設けられた差込部とからなる小片であり、前記差込部は棒状体の先端が差込可能な形状であり、前記笠木は立上部材の上端面を覆う断面コ字形の長尺体で、この断面コ字形の両側フランジの内側に段状に突出した段部が設けられ、立上部材の上端面の所々に取付具が取り付けられ、この所々に取り付けられた取付具に笠木が架け渡され、取付具の係止片の先端を笠木の段部に引っ掛けて笠木が立上部材に取り付けられているから、取付具を立上部材の上端面の所々に取り付け、この所々に取り付けられた取付具に笠木を架け渡し、この笠木を取付具に押しつけるだけで、係止片の先端がフランジの段部に引っ掛かって笠木が反対方向に戻らなくなり、笠木が立上部材に強固に取り付けられる。
【００２５】
又、笠木を取り外したいときには、立上部材の両側に外側斜め下方に開いている取付具の係止片の内側から「−」形のドライバー等のように先端が「−」形になっている棒状体を差し込んで、係止片の先端部内側に設けられた差込部の中に、棒状体先端部を挿入し、凹部の内側壁を内側方向に押すと、立上部材から笠木を簡単に外すことができ、位置を矯正することも取り外すことも簡単にできるのである。
【図面の簡単な説明】
【図１】本発明の笠木の取付構造をバルコニー笠木の取付構造に適用した一実施例を示すもので、手摺り本体にバルコニー笠木が取り付けられたバルコニー笠木の取付構造を示す断面図である。
【図２】（イ）は取付具の側面図、（ロ）は取付具の平面図である。
【図３】笠木の斜視図である。
【図４】手摺り本体に取付具を取り付けている状態を示す説明図である。
【符号の説明】
１              手摺り
２              立上部材
３              笠木（バルコニー笠木）
３１            フランジ
３２            段部
４              取付具
４１            本体
４２            係止片
４３            差込部
【図１】
0004113300.tif 000002
【図２】
0004113300.tif 000003
【図３】
0004113300.tif 000004
【図４】
0004113300.tif 000005